(57)【特許請求の範囲】
【請求項１】
ヘテロジニアス・システム内のセルに対するエネルギ節約制御方法であって、
サービング・セルのアクセス制御装置により、マルチ・モード・ユーザ機器（ＵＥ）のサービス要求を受信するステップと、
前記サービング・セルの無線リソースが前記マルチ・モードＵＥの前記サービス要求を満たすことができないとき、前記サービング・セルの前記アクセス制御装置が、前記サービング・セルのヘテロジニアス・システム隣接セルがエネルギ節約状態にあると判定した場合に、前記サービング・セルの前記アクセス制御装置により、エネルギ節約状態脱出要求メッセージを前記ヘテロジニアス・システム隣接セルのアクセス制御装置に送信するステップであって、前記エネルギ節約状態脱出要求メッセージは前記ヘテロジニアス・システム隣接セルに前記エネルギ節約状態から脱するように要求するために使用されるステップと、
前記サービング・セルの前記アクセス制御装置により、前記ヘテロジニアス・システム隣接セルの前記アクセス制御装置が返したエネルギ節約状態脱出応答メッセージを受信するステップであって、前記エネルギ節約状態脱出応答メッセージは前記ヘテロジニアス・システム隣接セルが前記エネルギ節約状態を脱するための時間を保持するステップと、
を含む、方法。
【請求項２】
ヘテロジニアス・システム内のセルに対するエネルギ節約制御方法であって、
サービング・セルのアクセス制御装置により、マルチ・モード・ユーザ機器（ＵＥ）のサービス要求を受信するステップと、
前記サービング・セルの無線リソースが前記マルチ・モードＵＥの前記サービス要求を満たすことができないとき、前記サービング・セルの前記アクセス制御装置が、前記サービング・セルのヘテロジニアス・システム隣接セルがエネルギ節約状態にあると判定した場合に、前記サービング・セルの前記アクセス制御装置により、エネルギ節約状態脱出要求メッセージを前記ヘテロジニアス・システム隣接セルのアクセス制御装置に送信するステップであって、前記エネルギ節約状態脱出要求メッセージは前記ヘテロジニアス・システム隣接セルに前記エネルギ節約状態から脱するように要求するために使用されるステップと、
前記サービング・セルの前記アクセス制御装置により、命令情報を前記マルチ・モードＵＥに送信するステップであって、前記命令情報は、前記ヘテロジニアス・システム隣接セルが前記エネルギ節約状態を脱した後に、前記ヘテロジニアス・システム隣接セルにリダイレクトしてサービスを要求するように前記マルチ・モードＵＥに指示するために使用されるステップと、
を含む、方法。
【請求項３】
前記エネルギ節約状態脱出要求メッセージは、前記エネルギ節約状態にある前記ヘテロジニアス・システム隣接セルの前記アクセス制御装置の識別子、前記エネルギ節約状態にある前記ヘテロジニアス・システム隣接セルの識別子、および実施すべき動作の種類を保持する、請求項１または２に記載の方法。
【請求項４】
サービング・セルのアクセス制御装置により、マルチ・モード・ユーザ機器ＵＥのサービス要求を受信するステップは、前記サービング・セルの前記アクセス制御装置により、前記マルチ・モードＵＥが送信した無線リソース制御（ＲＲＣ）接続セットアップ要求を受信するステップを含み、
前記命令情報は前記サービング・セルの前記アクセス制御装置により前記マルチ・モードＵＥに送信された（ＲＲＣ）接続セットアップ拒否メッセージに含まれ、
または、
サービング・セルのアクセス制御装置により、マルチ・モード・ユーザ機器（ＵＥ）のサービス要求を受信するステップは、前記サービング・セルの前記アクセス制御装置により、コア・ネットワーク装置が送信した無線アクセス・ベアラ割当て要求を受信するステップであって、前記無線アクセス・ベアラ割当て要求は前記マルチ・モードＵＥの前記サービス要求を含むステップを含み、
前記命令情報は、前記サービング・セルの前記アクセス制御装置により前記コア・ネットワーク装置に送信された無線アクセス・ベアラ割当て応答メッセージに含まれる、
請求項２に記載の方法。
【請求項５】
前記ＲＲＣ接続セットアップ拒否メッセージまたは前記無線アクセス・ベアラ割当て応答メッセージは、前記マルチ・モードＵＥが前記エネルギ節約状態を脱した前記ヘテロジニアス・システム隣接セルにリダイレクトするための待機時間をさらに含み、前記待機時間は、前記ヘテロジニアス・システム隣接セルが前記エネルギ節約状態を脱するための時間以上であり、かつ、前記待機時間は、前記待機時間が過ぎたときに、前記エネルギ節約状態を脱した前記ヘテロジニアス・システム隣接セルにリダイレクトするように前記マルチ・モードＵＥに指示するために使用される、請求項４に記載の方法。
【請求項６】
マルチ・モード・ユーザ機器（ＵＥ）のサービス要求を受信するように構成された第１の受信ユニットと、
サービング・セルの無線リソースが前記マルチ・モードＵＥの前記サービス要求を満たすことができないとき、前記サービング・セルのヘテロジニアス・システム隣接セルがエネルギ節約状態にあると判定された後に、エネルギ節約状態脱出要求メッセージを前記ヘテロジニアス・システム隣接セルのアクセス制御装置に送信するように構成された第１の送信ユニットであって、前記エネルギ節約状態脱出要求メッセージは、前記ヘテロジニアス・システム隣接セルに前記エネルギ節約状態を脱するように要求するために使用されるように構成された第１の送信ユニットと、
前記ヘテロジニアス・システム隣接セルの前記アクセス制御装置が返したエネルギ節約状態脱出応答メッセージを受信するように構成された第２の受信ユニットであって、前記エネルギ節約状態脱出応答メッセージは前記ヘテロジニアス・システム隣接セルが前記エネルギ節約状態を脱するための時間を保持する第２の受信ユニットと、
を備える、アクセス制御装置。
【請求項７】
マルチ・モード・ユーザ機器（ＵＥ）のサービス要求を受信するように構成された第１の受信ユニットと、
サービング・セルの無線リソースが前記マルチ・モードＵＥの前記サービス要求を満たすことができないとき、前記サービング・セルのヘテロジニアス・システム隣接セルがエネルギ節約状態にあると判定された後に、エネルギ節約状態脱出要求メッセージを前記ヘテロジニアス・システム隣接セルのアクセス制御装置に送信するように構成された第１の送信ユニットであって、前記エネルギ節約状態脱出要求メッセージは、前記ヘテロジニアス・システム隣接セルに前記エネルギ節約状態を脱するように要求するために使用されるように構成された第１の送信ユニットと、
命令情報を前記マルチ・モードＵＥに送信するように構成された第２の送信ユニットであって、前記命令情報は、前記ヘテロジニアス・システム隣接セルが前記エネルギ節約状態を脱した後に、前記ヘテロジニアス・システム隣接セルにリダイレクトしてサービスを要求するように前記マルチ・モードＵＥに指示するために使用される第２の送信ユニットと、
を備える、アクセス制御装置。
【請求項８】
前記エネルギ節約状態脱出要求メッセージは、前記エネルギ節約状態にある前記ヘテロジニアス・システム隣接セルの前記アクセス制御装置の識別子、前記エネルギ節約状態にある前記ヘテロジニアス・システム隣接セルの識別子、および実施すべき動作の種類を保持する、請求項６または７に記載のアクセス制御装置。
【請求項９】
前記第１の受信ユニットは、特に、前記マルチ・モードＵＥが送信した無線リソース制御（ＲＲＣ）接続セットアップ要求を受信するように構成され、
前記第２の送信ユニットは、ＲＲＣ接続セットアップ拒否メッセージを前記マルチ・モードＵＥに送信するようにさらに構成され、前記ＲＲＣ接続セットアップ拒否メッセージは前記命令情報を含み、
または、
前記第１の受信ユニットは、特に、コア・ネットワーク装置が送信した無線アクセス・ベアラ割当て要求を受信するように構成され、前記無線アクセス・ベアラ割当て要求は前記マルチ・モードＵＥの前記サービス要求を含み、
前記第２の送信ユニットは、無線アクセス・ベアラ割当て応答メッセージを前記コア・ネットワーク装置に送信するようにさらに構成され、前記無線アクセス・ベアラ割当て応答メッセージは前記命令情報を含む、
請求項７に記載のアクセス制御装置。
【請求項１０】
前記第２の送信ユニットにより送信された前記ＲＲＣ接続セットアップ拒否メッセージまたは前記無線アクセス・ベアラ割当て応答メッセージはさらに、前記マルチ・モードＵＥが前記エネルギ節約状態を脱した前記ヘテロジニアス・システム隣接セルにリダイレクトするための待機時間を含み、前記待機時間は、前記ヘテロジニアス・システム隣接セルが前記エネルギ節約状態を脱するための時間以上であり、かつ、前記待機時間は、前記待機時間が過ぎたときに、前記エネルギ節約状態を脱した前記ヘテロジニアス・システム隣接セルにリダイレクトするように前記マルチ・モードＵＥに指示するために使用される、請求項９に記載のアクセス制御装置。
【発明の詳細な説明】
【技術分野】
【０００１】
関連出願の記載
本出願は、発明の名称を「ヘテロジニアス・システムにおけるセルに対するエネルギ節約制御の方法および装置」とした、２０１１年５月１３日に中国国家知識産権局に出願した中国特許出願第２０１１１０１２３６０４．１号の優先権を主張し、その全体を引用により本明細書に組み込む。
【０００２】
本発明は通信の分野に関し、特に、ヘテロジニアス・システム内のセルに対するエネルギ節約制御の方法および装置に関する。
【背景技術】
【０００３】
自己管理ネットワーク（Ｓｅｌｆ−Ｏｒｇａｎｉｚｉｎｇ  Ｎｅｔｗｏｒｋ、ＳＯＮ）は、第三世代パートナシップ・プロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）国際標準化組織の重要な標準化作業である。その中心的な考え方は、ネットワーク計画、デプロイメント、最適化、および保守の段階での自動化プロセスを使用することにより従来の手動動作を削減し、それによりネットワーク運用者の保守コストを削減することである。エネルギ節約（ＥＳ、Ｅｎｅｒｇｙ  Ｓａｖｉｎｇ）またはエネルギ節約制御の方法は、ＳＯＮ標準化作業においては非常に重要なテーマであり、特に、ヘテロジニアス・システム内のセルまたはインター無線アクセス技術（Ｉｎｔｅｒ−ＲＡＴ、  Ｉｎｔｅｒ  Ｒａｄｉｏ  Ａｃｃｅｓｓ  Ｔｅｃｈｎｏｌｏｇｙ）のセルに当てはまる。
【０００４】
ヘテロジニアス・システム・セルとは、様々な無線アクセス技術（即ち、様々な無線標準）、例えば、第２世代の移動通信技術（２Ｇ、即ち、移動通信向けグローバル・システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）（登録商標））、第３世代移動通信技術（３Ｇ、即ち、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ））、第４世代移動通信技術（４Ｇ、即ち、ＬＴＥシステムとも呼ばれるロングターム・エボリューション（Ｌｏｎｇ  Ｔｅｒｍ  Ｅｖｏｌｕｔｉｏｎ）システム）が同一の地理的領域で重複し、同一の地理的領域をカバーしているようなセルをいう。一般に、４Ｇ標準を用いたセル（発展型地上無線アクセス・ネットワーク（Ｅ−ＵＴＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）セルとも呼ばれる。以降、Ｅ−ＵＴＲＡＮセルと称する。）は、その領域内の一部のホット・スポット（ｈｏｔ  ｓｐｏｔ）エリアに対して容量の拡大可能性を提供することにより、当該ホット・スポット・エリアにおける高速なデータ・サービスまたはマルチメディア・サービスを保証する。３Ｇ標準を用いたセル（ユニバーサル地上無線アクセス・ネットワーク（ＵＴＲＡＮ、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）セルとも呼ばれる。以降、ＵＴＲＡＮセルと称する。）または２Ｇ標準を用いたセルは、地理的領域全体に対する基本的なカバレッジを提供し、音声サービス、低速度および中速度のデータ・サービスの提供といった基本サービスをその領域内で保証する。
【発明の概要】
【発明が解決しようとする課題】
【０００５】
先行技術では、セルのエネルギ節約制御方法はイントラＬＴＥ（Ｉｎｔｒａ−ＬＴＥ）セルに限られている。即ち、エネルギ節約をオン／オフに切り替えることができるセルはＥ−ＵＴＲＡＮセルであり、エネルギ節約プロセスにおいて、基本的なカバレッジとサポートもＥ−ＵＴＲＡＮセルにより提供される。このエネルギ節約制御の方法は、Ｅ−ＵＴＲＡＮセルのトラフィック負荷の（ｔｒａｆｆｉｃ  ｌｏａｄ）閾値を監視することにのみ基づいている。しかし、ヘテロジニアス・システム内のセルに対するエネルギ節約のシナリオでは、先行技術におけるセルのトラフィック負荷閾値の監視に基づく方法には明らかに限界がある。当該方法では、マルチ・モードのユーザ機器（ＵＥ、Ｕｓｅｒ  Ｅｑｕｉｐｍｅｎｔ）がヘテロジニアス・システム内のセルの間で移動するとき、ヘテロジニアス・システム内のセルのサービスの相違に起因するサービス品質の悪化の問題をスムーズに斟酌することができない。これは、ヘテロジニアス・システム内のセルの間のエネルギ節約制御に関して解決すべき緊急の課題である。
【課題を解決するための手段】
【０００６】
１態様では、本発明は、サービング・セルのアクセス制御装置により、マルチ・モードのユーザ機器ＵＥのサービス要求を受信するステップと、当該サービング・セルの無線リソースが当該マルチ・モードＵＥのサービス要求を満足できないとき、当該サービング・セルのアクセス制御装置が、当該サービング・セルのヘテロジニアス・システム隣接セルがエネルギ節約状態にあると判定した場合には、サービング・セルのアクセス制御装置により、エネルギ節約状態脱出要求メッセージをヘテロジニアス・システム隣接セルのアクセス制御装置に送信するステップであって、当該エネルギ節約状態脱出要求メッセージは、当該ヘテロジニアス・システム隣接セルに当該エネルギ節約状態を脱するように要求するために使用されるステップとを含む、ヘテロジニアス・システム内のセルに対するエネルギ節約制御方法を提供する。
【０００７】
別の態様では、本発明はさらに、ヘテロジニアス・システム内の発展型基地局により、当該セル内に無線リソース制御ＲＲＣ接続またはアクティブなマルチ・モードのユーザ機器ＵＥがあるかどうかに従って、または、当該セルのゼロ負荷期間に従って、当該発展型基地局により制御されるセルをエネルギ節約状態に入るように設定すべきかどうかを判定するステップを含む、ヘテロジニアス・システム内のセルに対するエネルギ節約制御方法を提供する。
【０００８】
別の態様では、本発明はさらに、マルチ・モードのユーザ機器ＵＥのサービス要求を受信するように構成された第１の受信ユニットと、サービング・セルの無線リソースが当該マルチ・モードＵＥの当該サービス要求を満たすことができないとき、当該サービング・セルのヘテロジニアス・システム隣接セルがエネルギ節約状態にあると判定された後に、エネルギ節約状態脱出要求メッセージをヘテロジニアス・システム隣接セルのアクセス制御装置に送信するように構成された第１の送信ユニットであって、当該エネルギ節約状態脱出要求メッセージは、当該ヘテロジニアス・システム隣接セルに当該エネルギ節約状態を脱するように要求するために使用される第１の送信ユニットと、を備えるアクセス制御装置を提供する。
【０００９】
別の態様では、本発明はさらに、当該セル内に無線リソース制御ＲＲＣ接続またはアクティブなマルチ・モードのユーザ機器ＵＥがあるかどうかに従って、当該発展型基地局により制御されるセルをエネルギ節約状態に入るように設定すべきかどうかを判定するように構成された第１の判定ユニット、または、当該セルのゼロ負荷期間に従ってエネルギ節約状態に入るように当該セルを設定すべきかどうかを判定するように構成された第２の判定ユニット、を備える発展型基地局を提供する。
【００１０】
上述の技術的解決策では、１態様において、マルチ・モードＵＥのサービス要求に従って、エネルギ節約状態にあるヘテロジニアス・システム隣接セルがエネルギ節約状態を脱することを要求するかどうかを判定するための解決策を使用することにより、ヘテロジニアス・システム内のセル間のエネルギ節約制御を実装する。別の態様では、当該発展型基地局により制御されるセル内に無線リソース制御ＲＲＣ接続またはアクティブなマルチ・モードＵＥが存在するかどうかに従って、当該エネルギ節約状態に入るように当該セルを設定するかどうかを判定し、ヘテロジニアス・システム内のセル間のエネルギ節約制御を実装する。
【００１１】
本発明の諸実施形態における技術的解決策をより明確に説明するため、以下では諸実施形態または先行技術を説明するのに必要な添付図面を簡潔に説明する。明らかに、以下の説明における添付図面は本発明の幾つかの諸実施形態を示すにすぎず、当業者はこれらの添付図面から他の図面を導出することができる。
【図面の簡単な説明】
【００１２】
【図１】本発明の１実施形態に従うヘテロジニアス・システム内のセルに対するエネルギ節約制御方法の概略的な流れ図である。
【図２】本発明の別実施形態に従うヘテロジニアス・システム内のセルに対するエネルギ節約制御方法の概略的な流れ図である。
【図３】本発明の１実施形態に従うアクセス制御装置の略論理構造図である。
【図４】本発明の１実施形態に従う発展型基地局の略論理構造図である。
【発明を実施するための形態】
【００１３】
以下では、本発明の諸実施形態における図面を参照して、本発明の諸実施形態における技術的解決策を明確かつ十分に説明する。明らかに、説明した諸実施形態は本発明の諸実施形態の全部ではなく一部にすぎない。当業者が本発明の諸実施形態に基づいて取得する他の全ての実施形態は、本発明の保護範囲に入るものとする。
【００１４】
図１は、本発明の１実施形態に従うヘテロジニアス・システム内のセルに対するエネルギ節約制御方法の概略的な流れ図である。本方法は、以下の内容を含む。
【００１５】
Ｓ１０１で、サービング・セルのアクセス制御装置は、マルチ・モードＵＥのサービス要求を受信する。
【００１６】
本発明の任意的な実装形態として、サービング・セルのアクセス制御装置により受信されたマルチ・モードＵＥのサービス要求が、マルチ・モードＵＥにより送信されアクセス制御装置により受信された無線リソース制御（ＲＲＣ、Ｒａｄｉｏ  Ｒｅｓｏｕｒｃｅ  Ｃｏｎｔｒｏｌ）接続セットアップ要求であってもよい。例えば、ＲＲＣ接続セットアップ要求を、「ＲＲＣ接続要求（ＲＲＣ  Ｃｏｎｎｅｃｔｉｏｎ  Ｒｅｑｕｅｓｔ）」メッセージを基地局コントローラに送信することによってマルチ・モードＵＥによって開始してもよい。当該ＲＲＣ接続要求メッセージは、ＲＲＣ接続をセットアップするのに必要なサービス情報、ＵＥのＥ−ＵＴＲＡＮサポート能力に関する情報等を保持する。
【００１７】
本発明の別の実装形態として、サービング・セルのアクセス制御装置により受信されたマルチ・モードＵＥのサービス要求が、コア・ネットワーク（ＣＮ、Ｃｏｒｅ  Ｎｅｔｗｏｒｋ）装置により送信されアクセス制御装置により受信された無線アクセス・ベアラ（ＲＡＢ、Ｒａｄｉｏ  Ａｃｃｅｓｓ  Ｂｅａｒｅｒ）割当て要求（ＲＡＢ  Ａｓｓｉｇｎｍｅｎｔ  Ｒｅｑｕｅｓｔ）であってもよい。当該無線アクセス・ベアラ割当て要求はマルチ・モードＵＥのサービス要求を含む。具体的には、マルチ・モードＵＥとＣＮの間の非アクセス層（ＮＡＳ、Ｎｏｎ−Ａｃｃｅｓｓ  Ｓｔｒａｔｕｍ）シグナリング対話プロセスにおいて、マルチ・モードＵＥは、サービス要求情報要素を用いることによって、ＣＮ装置にマルチ・モードＵＥが必要とするサービス・タイプを通知する。ＣＮ装置は、情報要素「サービス・タイプ」に従って、サービス・タイプにより要求される最大ビット・レートおよび保証ビット・レートのような情報を決定し、無線アクセス・ベアラ（ＲＡＢ、無線アクセス・ベアラ）割当てプロセスをＲＮＣに対して開始する。例えば、ＣＮ装置は「無線アクセス・ベアラ割当て要求（ＲＡＢ割当て要求）」メッセージを基地局コントローラに送信する。当該メッセージは、ＵＥが要求するサービス・タイプ、最大ビット・レート、および保証ビット・レートのような情報要素を保持する。
【００１８】
Ｓ１０２で、サービング・セルの無線リソースがマルチ・モードＵＥのサービス要求を満たすことができないとき、サービング・セルのアクセス制御装置が、サービング・セルのヘテロジニアス・システム隣接セルがエネルギ節約状態にあると判定した場合に、サービング・セルのアクセス制御装置はエネルギ節約状態脱出要求メッセージをヘテロジニアス・システム隣接セルのアクセス制御装置に送信する。当該エネルギ節約状態脱出要求メッセージは、ヘテロジニアス・システム隣接セルにエネルギ節約状態を脱するように要求するために使用される。
【００１９】
あるいは、サービング・セルのアクセス制御装置はまた、命令情報をマルチ・モードＵＥに送信してもよい。当該命令情報は、ヘテロジニアス・システム隣接セルがエネルギ節約状態を脱したとき、当該ヘテロジニアス・システム隣接セルにリダイレクトしてサービスを要求するようにマルチ・モードＵＥに指示するために使用される。
【００２０】
サービング・セルのアクセス制御装置により受信されたマルチ・モードＵＥのサービス要求が無線リソース制御ＲＲＣ接続セットアップ要求である場合には、命令情報はサービング・セルのアクセス制御装置によりマルチ・モードＵＥに送信されたＲＲＣ接続セットアップ拒否メッセージに含まれる。サービング・セルのアクセス制御装置により受信されたマルチ・モードのユーザ機器ＵＥのサービス要求が、マルチ・モードＵＥのサービス要求を含みコア・ネットワーク装置により送信された無線アクセス・ベアラ割当て要求である場合には、命令情報は、サービング・セルのアクセス制御装置によりコア・ネットワーク装置に送信された無線アクセス・ベアラ割当て応答メッセージに含まれる。
【００２１】
本発明の実施形態では、マルチ・モードＵＥとは、ヘテロジニアス・システム（即ち、ＧＳＭ（登録商標）、ＵＴＲＡＮ、またはＥ−ＵＴＲＡＮのような様々な無線アクセス技術標準）内のセルに留まって通信を実施することができるＵＥを指す。サービング・セルとは、マルチ・モードＵＥのサービング・セルを指す。本発明の任意の実施形態として、サービング・セルがＵＴＲＡＮセルまたはＧＳＭ（登録商標）セルであってもよく、ヘテロジニアス・システム隣接セルがサービング・セルに隣接するＥ−ＵＴＲＡＮセルであってもよい。それに応じて、サービング・セルのアクセス制御装置はＲＮＣまたはＢＳＣのような、ＧＳＭ（登録商標）セルまたはＥ−ＵＴＲＡＮセルの制御基地局の基地局コントローラであってもよく、ヘテロジニアス・システム隣接セルのアクセス制御装置はＥ−ＵＴＲＡＮセルの制御基地局ｅＮＢであってもよい。Ｅ−ＵＴＲＡＮセルは、ヘテロジニアス・システムにおける第４世代移動通信技術４Ｇ（即ち、ＬＴＥシステム）によってカバーされるセルである。当該技術では、高速データ・サービスまたはマルチメディア・サービスをマルチ・モードＵＥに提供することができる。
【００２２】
サービング・セルのアクセス制御装置により受信されたマルチ・モードＵＥのサービス要求がＲＲＣ接続セットアップ要求またはＣＮ装置により送信された無線アクセス・ベアラ割当て要求であるとき、本発明の実施形態として、サービング・セルのアクセス制御装置は、サービング・セルの隣接セルのリストを検索することにより、サービング・セルのヘテロジニアス・システム隣接セル（例えば、隣接Ｅ−ＵＴＲＡＮセル）が動作状態にあるかエネルギ節約状態にあるかを判定する。動作状態にあるヘテロジニアス・システム隣接セルとは、故障せずに正常な通信サービスを提供するかまたはエネルギ節約状態にあるヘテロジニアス・システム隣接セルを指す。
【００２３】
具体的には、サービング・セルのアクセス制御装置がサービング・セルの隣接セルのリストを検索し、サービング・セルのアクセス制御装置が動作状態にあるヘテロジニアス・システム隣接セルもエネルギ節約状態にあるヘテロジニアス・システム隣接セルも発見しなかった場合には、サービング・セルのアクセス制御装置は「ＲＲＣ接続拒否（ＲＲＣ  Ｃｏｎｎｅｃｔｉｏｎ  Ｒｅｊｅｃｔ）」メッセージをマルチ・モードＵＥに返し、ＲＲＣ接続セットアップ・プロセスが終了する。当該メッセージは、拒否の理由、例えば、サービス要求を満たす無線リソースがないことを保持する。または、サービング・セルのアクセス制御装置は「ＲＡＢ割当て応答（ＲＡＢ  Ａｓｓｉｇｎｍｅｎｔ  Ｒｅｓｐｏｎｓｅ）」メッセージをマルチ・モードＵＥに返し、ＲＡＢ割当てプロセスが終了する。当該メッセージは、ＲＡＢ割当てが不成功である理由、例えば、「要求された最大ビット・レート利用不可（Ｒｅｑｕｅｓｔｅｄ  Ｍａｘｉｍｕｍ  Ｂｉｔ  Ｒａｔｅ  ｎｏｔ  Ａｖａｉｌａｂｌｅ）」を保持する。
【００２４】
サービング・セルのアクセス制御装置が、サービング・セルの隣接セルのリストを検索することによってエネルギ節約状態にあるヘテロジニアス・システム隣接セル（例えば、隣接Ｅ−ＵＴＲＡＮセル）を探し出した場合には、サービング・セルのアクセス制御装置はエネルギ節約状態脱出要求メッセージをヘテロジニアス・システム隣接セルのアクセス制御装置（例えば、ｅＮＢ）に送信する。当該エネルギ節約状態脱出要求メッセージは、ヘテロジニアス・システム隣接セルにエネルギ節約状態を脱するように要求するために使用される。
【００２５】
ヘテロジニアス・システムにおけるエネルギ節約状態の（隣接Ｅ−ＵＴＲＡＮセルのような）ヘテロジニアス・システム隣接セルが、サービング・セル側でマルチ・モードＵＥにより開始されたＲＲＣ接続セットアップ・プロセスにより弱められたとき、即ち、サービング・セルのアクセス制御装置により受信されたマルチ・モードＵＥのサービス要求が、マルチ・モードＵＥが送信した無線リソース制御ＲＲＣ接続セットアップ要求であるとき、サービング・セルのアクセス制御装置が、サービング・セルの隣接セルのリストを検索することによって動作状態にあるヘテロジニアス・システム隣接セルを発見した場合には、サービング・セルのアクセス制御装置は「ＲＲＣ接続拒否（ＲＲＣ  Ｃｏｎｎｅｃｔｉｏｎ  Ｒｅｊｅｃｔ）」メッセージをマルチ・モードＵＥに送信する。当該メッセージは、マルチ・モードＵＥを動作状態にあるヘテロジニアス・システム隣接セルにリダイレクトするように指示するために使用される。上記ヘテロジニアス・システム隣接セルが発見されなかった場合には、サービング・セルのアクセス制御装置が、サービング・セルの隣接セルのリストを検索することによってエネルギ節約状態にあるヘテロジニアス・システム隣接セル（例えば、隣接Ｅ−ＵＴＲＡＮセル）を探し出したならば、サービング・セルのアクセス制御装置はエネルギ節約状態脱出要求メッセージをヘテロジニアス・システム隣接セルのアクセス制御装置に送信する。
【００２６】
例えば、ヘテロジニアス・システム隣接セルがサービング・セルに隣接するＥ−ＵＴＲＡＮセルであるとき、サービング・セルのアクセス制御装置は、エネルギ節約状態にある隣接Ｅ−ＵＴＲＡＮセルのアクセス制御装置（例えば、ｅＮＢ）に、エネルギ節約状態にある隣接Ｅ−ＵＴＲＡＮセルにエネルギ節約状態を脱するよう要求するために使用されるシグナリング・メッセージを送信する。サービング・セルのアクセス制御装置によりシグナリング・メッセージを送信するプロセスは、ヘテロジニアス・システムに基づく無線アクセス・ネットワーク（ＲＡＮ、Ｒａｄｉｏ  Ａｃｃｅｓｓ  Ｎｅｔｗｏｒｋ）情報管理（ＲＩＭ、ＲＡＮ  Ｉｎｆｏｒｍａｔｉｏｎ  Ｍａｎａｇｅｍｅｎｔ）プロセスである。ＲＩＭプロセスでは、「直接情報転送（ＤＩＴ、Ｄｉｒｅｃｔ  Ｉｎｆｏｒｍａｔｉｏｎ  Ｔｒａｎｓｆｅｒ）」のメッセージ転送モードを使用してシグナリングを転送してもよい。即ち、ＲＩＭメッセージ（即ち、エネルギ節約状態にあるヘテロジニアス・システム隣接セルがエネルギ節約状態を脱するように要求するためのシグナリング）が、サービング・セルのアクセス制御装置（例えば、ＲＮＣ）により開始され、サービング・セルのコア・ネットワーク装置（例えば、ＵＭＴＳネットワークのＳＧＳＮ（Ｓｅｒｖｉｎｇ  ＧＰＲＳ  Ｓｕｐｐｏｒｔ  Ｎｏｄｅ、Ｓｅｒｖｉｎｇ  ＧＰＲＳ  Ｓｕｐｐｏｒｔ  Ｎｏｄｅ））を通過し、ヘテロジニアス・システム隣接セルのコア・ネットワーク装置（例えば、ＬＴＥネットワークの移動性管理エンティティ（ＭＭＥ、Ｍｏｂｉｌｉｔｙ  Ｍａｎａｇｅｍｅｎｔ  Ｅｎｔｉｔｙ））を通過し、最終的に、エネルギ節約状態にある近傍のヘテロジニアス・システム隣接セルのアクセス制御装置（例えば、ｅＮＢ）に到達する。ＲＩＭメッセージはヘテロジニアス・システム隣接セルのアクセス制御装置に直接には転送されないので、ＲＩＭメッセージ（エネルギ節約状態脱出要求メッセージ）は、エネルギ節約状態にあるヘテロジニアス・システム隣接セルのアクセス制御装置の識別子、エネルギ節約状態にあるヘテロジニアス・システム隣接セルの識別子、および実施すべき動作の種類を保持する。
【００２７】
サービング・セルのアクセス制御装置がエネルギ節約状態脱出要求メッセージをヘテロジニアス・システム隣接セルのアクセス制御装置に送信している間またはその送信の後に、サービング・セルのアクセス制御装置は「ＲＲＣ接続拒否（ＲＲＣ  Ｃｏｎｎｅｃｔｉｏｎ  Ｒｅｊｅｃｔ）」メッセージをマルチ・モードＵＥに送信する。ＲＲＣ接続セットアップ拒否メッセージは、マルチ・モードＵＥにエネルギ節約状態を脱したヘテロジニアス・システム隣接セルにリダイレクトするように指示するために使用される。
【００２８】
ヘテロジニアス・システムにおけるエネルギ節約状態のヘテロジニアス・システム隣接セル（例えば、隣接Ｅ−ＵＴＲＡＮセル）が、サービング・セル側でＣＮ装置により開始されたＲＡＢ割当てプロセスにより弱められたとき、即ち、サービング・セルのアクセス制御装置により受信されたマルチ・モードＵＥのサービス要求がＣＮ装置により送信された（マルチ・モードＵＥのサービス要求を含む）無線アクセス・ベアラ割当て要求であるとき、サービング・セルのアクセス制御装置が隣接セルのリストを検索することによってエネルギ節約状態にあるヘテロジニアス・システム隣接セルを探し出した場合、サービング・セルのアクセス制御装置はエネルギ節約状態脱出要求メッセージをヘテロジニアス・システム隣接セルのアクセス制御装置に送信する。
【００２９】
例えば、ヘテロジニアス・システム隣接セルがサービング・セルに隣接するＥ−ＵＴＲＡＮセルであるとき、サービング・セルのアクセス制御装置は、エネルギ節約状態にある隣接Ｅ−ＵＴＲＡＮセルのアクセス制御装置に、エネルギ節約状態にある隣接Ｅ−ＵＴＲＡＮセルにエネルギ節約状態を脱するように要求するために使用されるシグナリング・メッセージを送信する。サービング・セルのアクセス制御装置によりシグナリング・メッセージを送信するプロセスは、ＲＩＭに基づくプロセスである。ＲＩＭプロセスでは、ＤＩＴメッセージ転送モードを使用してシグナリングを転送する。ＲＩＭメッセージはヘテロジニアス・システム隣接セルのアクセス制御装置に直接には転送されないので、ＲＩＭメッセージ（エネルギ節約状態脱出要求メッセージ）はエネルギ節約状態にあるヘテロジニアス・システム隣接セルのアクセス制御装置の識別子、エネルギ節約状態にあるヘテロジニアス・システム隣接セルの識別子、および実施すべき動作の種類を保持する。
【００３０】
サービング・セルのアクセス制御装置がエネルギ節約状態脱出要求メッセージをヘテロジニアス・システム隣接セルのアクセス制御装置に送信している間またはその送信の後に、サービング・セルのアクセス制御装置は「無線アクセス・ベアラ割当て応答（ＲＡＢ  Ａｓｓｉｇｎｍｅｎｔ  Ｒｅｓｐｏｎｓｅ）」メッセージをＣＮ装置に送信する。無線アクセス・ベアラ割当て応答メッセージは、エネルギ節約状態を脱したヘテロジニアス・システム隣接セルにリダイレクトするようにマルチ・モードＵＥに指示するために使用される。
【００３１】
別の任意の実施形態では、エネルギ節約状態を脱したヘテロジニアス・システム隣接セル（例えば、隣接Ｅ−ＵＴＲＡＮセル）にいつリダイレクトするかをマルチ・モードＵＥが知ることができるようにするために、本発明の実施形態では、ヘテロジニアス・システム隣接セルのアクセス制御装置は、ＲＩＭメッセージを受信すると、エネルギ節約状態脱出応答メッセージをさらにサービング・セルのアクセス制御装置に返す。エネルギ節約状態脱出応答メッセージは、ヘテロジニアス・システム隣接セルがエネルギ節約状態を脱した時点を保持する。サービング・セルのアクセス制御装置は、ヘテロジニアス・システム隣接セルがエネルギ節約状態を脱する時間を保持するエネルギ節約状態脱出応答メッセージを受け取ると、マルチ・モードＵＥがエネルギ節約状態を脱したヘテロジニアス・システム隣接セルにリダイレクトするための待機時間を、マルチ・モードＵＥに返されるＲＲＣ接続セットアップ拒否メッセージまたはＣＮ装置に返される無線アクセス・ベアラ割当て応答メッセージに含める。当該待機時間は、当該待機時間が過ぎたときに、エネルギ節約状態を脱したヘテロジニアス・システム隣接セルにリダイレクトするようにマルチ・モードＵＥに指示するために使用される。当該待機時間は、ヘテロジニアス・システム隣接セルがエネルギ節約状態を脱する時間以上であってもよい。
【００３２】
本発明で提供する別の実施形態では、サービング・セルのアクセス制御装置がマルチ・モードのユーザ機器ＵＥのサービス要求を受信したがサービング・セルのアクセス制御装置により制御されるセルが当該サービス要求を満たすことができないとき、サービング・セルのアクセス制御装置は、サービング・セルのアクセス制御装置により制御されているセルが提供するデータ・サービスを低速で短期間に使用することをマルチ・モードＵＥが許可／同意するかどうかに関して、局所的に格納した意図を問い合わせてもよい。マルチ・モードＵＥが、データ・サービスを低速で短期間に使用することを許可／同意する場合には、サービング・セルのアクセス制御装置は、マルチ・モードＵＥまたはＣＮ装置に返されるメッセージにおいて、実行の成功を示すメッセージ、例えば、成功インジケータを保持するＲＲＣ接続応答またはＲＡＢ割当て応答メッセージを保持してもよい。それにより、マルチ・モードＵＥはデータ・サービスをＵＴＲＡＮネットワーク内で低速で使用する。隣接Ｅ−ＵＴＲＡＮセルの発展型基地局が、Ｅ−ＵＴＲＡＮセルがエネルギ節約状態を脱したことをサービング・セルのアクセス制御装置に通知した後、サービング・セルのアクセス制御装置はマルチ・モードＵＥを直ちにヘテロジニアス・システム隣接セル（例えば、Ｅ−ＵＴＲＡＮセル）へリダイレクトまたはハンド・オーバする。
【００３３】
本発明の以上の実施形態では、ヘテロジニアス・システム内のセルに対するエネルギ節約制御方法を提供した。さらに、任意の実施形態の解決策では、サービング・セルがＧＳＭ（登録商標）セルまたはＵＴＲＡＮセルであり、ヘテロジニアス・システム隣接セルがＥ−ＵＴＲＡＮセルであるとき、Ｅ−ＵＴＲＡＮセルが軽負荷状態であることが検出されたときに残りのアクティブ（Ａｃｔｉｖｅ）なＵＥが従来型のセル（ＵＴＲＡＮセル）に再配置される、サービス劣化を受ける先行技術が提供する方法と比較すると、本発明の実施形態に従う方法では、高速データ・サービスをホット・スポット・エリアに提供する必要がないときはＥ−ＵＴＲＡＮセルにエネルギ節約状態にあるように要求し、マルチ・モードＵＥが新たな高速データ・サービス要求を有するときはエネルギ節約状態を脱するようにＥ−ＵＴＲＡＮセルに要求してもよい。それにより、高速データ・サービスが正常に提供され、従来型のセル（例えば、ＵＴＲＡＮセル）が低速または中速のデータ・サービスをマルチ・モードＵＥに対して長期間提供することに起因するユーザの不満のリスクが回避され、マルチ・モードＵＥのサービス・エクスペリエンスが保証される。
【００３４】
本発明の実施形態はさらに、ヘテロジニアス・システム内のセルに対するエネルギ節約制御方法を提供する。当該方法は、主に以下の内容を含む。
【００３５】
ヘテロジニアス・システムにおける発展型基地局は、当該セル内に無線リソース制御ＲＲＣ接続またはアクティブなマルチ・モードのユーザ機器ＵＥがあるかどうかに従って、または、当該セルのゼロ負荷期間に従って、当該発展型基地局により制御されるセルをエネルギ節約状態に入るように設定すべきかどうかを判定する。
【００３６】
本発明の実施形態では、ヘテロジニアス・システムにおける発展型基地局（ｅ−ＮｏｄｅＢ、ｅｖｏｌｖｅｄ  ＮｏｄｅＢ）は、ヘテロジニアス・システムにおけるＥ−ＵＴＲＡＮセルの制御基地局であってもよい。Ｅ−ＵＴＲＡＮセルとは、ヘテロジニアス・システムにおける第４世代移動通信技術４Ｇによってカバーされるセルである。
【００３７】
図２に示すように、本発明の１実施形態では、ヘテロジニアス・システムにおける発展型基地局は、セル内にＲＲＣ接続またはアクティブなマルチ・モードＵＥがあるかどうかに応じて、当該発展型基地局により制御されるセルをエネルギ節約状態に入るように設定するかどうかを判定する。具体的には、以下の内容が含まれる。
【００３８】
Ｓ２０１で、ヘテロジニアス・システムにおける発展型基地局は、当該発展型基地局によって制御されているセル内にＲＲＣ接続またはアクティブなマルチ・モードＵＥがあると判定する。
【００３９】
Ｓ２０２で、発展型基地局がセルをエネルギ節約状態に入るように設定する。
【００４０】
セル内にＲＲＣ接続またはアクティブなマルチ・モードＵＥがあるということは、ＵＥがサービス接続を維持しサービス通信においてアクティブであることを意味する。任意の実施形態として、当該発展型基地局によって制御されているセルはＥ−ＵＴＲＡＮセルである。
【００４１】
ヘテロジニアス・システムにおける発展型基地局によって制御されているセルをエネルギ節約状態に設定するかどうかをより正確に判定するために、本発明の別の実施形態では、発展型基地局は、当該発展型基地局によって制御されているセルがエネルギ節約状態に入るための、ネットワーク管理システム（ＮＭＳ、Ｎｅｔｗｏｒｋ  Ｍａｎａｇｅｍｅｎｔ  Ｓｙｓｔｅｍ）により設定されるレイテンシを取得してもよい。例えば、発展型基地局の統合参照点エージェントＩＲＰＡｇｅｎｔは、発展型基地局によって制御されているセルがエネルギ節約状態に入るための、統合参照点マネージャＩＲＰＭａｎａｇｅｒによって送信されたレイテンシを受信し、ＩＲＰＡｇｅｎｔは当該レイテンシを透過的に発展型基地局に転送する。または、発展型基地局は統合参照点マネージャＩＲＰＭａｎａｇｅｒから直接、当該発展型基地局によって制御されているセルがエネルギ節約状態に入るためのレイテンシを取得する。当該レイテンシにおいて発展型基地局によって制御されているセル内にＲＲＣ接続もアクティブなマルチ・モードＵＥも存在しないと発展型基地局が判定した場合には、発展型基地局は当該セルをエネルギ節約状態に入るように設定する。
【００４２】
本発明で提供する別の実施形態では、発展型基地局は当該発展型基地局により制御されるセルのゼロ負荷期間をネットワーク管理システムから取得する。例えば、発展型基地局の統合参照点エージェントＩＲＰＡｇｅｎｔが統合参照点マネージャＩＲＰＭａｎａｇｅｒにより送信されたゼロ負荷期間を受信し、ＩＲＰＡｇｅｎｔが透過的に当該ゼロ負荷期間を発展型基地局に送信する。または、発展型基地局が、ゼロ負荷期間を統合参照点マネージャＩＲＰＭａｎａｇｅｒから直接取得する。当該発展型基地局が制御判定を行うための時間がセルのゼロ負荷期間内であるときは、当該セルはエネルギ節約状態に入るように設定される。
【００４３】
本発明の以上の実施形態では、ヘテロジニアス・システム内のセルに対するエネルギ節約制御方法を提供した。さらに、本実施形態によれば、ヘテロジニアス・システムにおいて、Ｅ−ＵＴＲＡＮセル内にＲＲＣ接続もアクティブなマルチ・モードＵＥもないとき、Ｅ−ＵＴＲＡＮはエネルギ節約状態に入るように設定される。または、発展型基地局が制御判定を行うための時間がＥ−ＵＴＲＡＮセルのゼロ負荷期間内であるとき、Ｅ−ＵＴＲＡＮセルはエネルギ節約状態に入るように設定される。Ｅ−ＵＴＲＡＮセルが軽負荷状態にあることが検出されたとき、残りのアクティブ（Ａｃｔｉｖｅ）なマルチ・モードＵＥが従来型のセル（例えば、ＵＴＲＡＮセル）に再配置される、サービス劣化を受ける先行技術が提供する方法と比較すると、本発明の実施形態に従う方法では、高速データ・サービスをホット・スポット・エリアに提供する必要がないときはＥ−ＵＴＲＡＮがエネルギ節約状態にあってもよく、マルチ・モードＵＥが新たな高速データ・サービス要求を有するときはＥ−ＵＴＲＡＮセルがエネルギ節約状態を脱してもよい。それにより、高速データ・サービスが正常に提供され、従来型のＵＴＲＡＮセルが低速または中速のデータ・サービスを長期間提供することに起因するユーザの不満のリスクが回避され、マルチ・モードＵＥのサービス・エクスペリエンスが保証される。
【００４４】
図３は、本発明の１実施形態に従うアクセス制御装置３００の略論理構造図である。説明の簡単さのため、本発明の実施形態に関連する一部分のみ示す。当該アクセス制御装置は、第１の受信ユニット３０１と第１の送信ユニット３０２を備える。
【００４５】
第１の受信ユニット３０１はマルチ・モードのユーザ機器ＵＥのサービス要求を受信するように構成され、第１の送信ユニット３０２は、サービング・セルの無線リソースが当該マルチ・モードＵＥの当該サービス要求を満たすことができないとき、当該サービング・セルのヘテロジニアス・システム隣接セルがエネルギ節約状態にあると判定された後に、エネルギ節約状態脱出要求メッセージをヘテロジニアス・システム隣接セルのアクセス制御装置に送信するように構成される。当該エネルギ節約状態脱出要求メッセージは、ヘテロジニアス・システム隣接セルにエネルギ節約状態を脱するように要求するために使用される。
【００４６】
任意の実施形態として、図３に示したアクセス制御装置３００に基づいて、アクセス制御装置３００はさらに、命令情報をマルチ・モードＵＥに送信するように構成された第２の送信ユニット３０３を備える。当該命令情報は、ヘテロジニアス・システム隣接セルがエネルギ節約状態を脱した後に、当該ヘテロジニアス・システム隣接セルにリダイレクトしてサービスを要求するようにマルチ・モードＵＥに指示するために使用される。
【００４７】
別の任意の実施形態として、第１の受信ユニット３０１をさらに、マルチ・モードＵＥが送信したＲＲＣ接続セットアップ要求を受信するように構成してもよく、第２の送信ユニット３０３はさらに、ＲＲＣ接続セットアップ拒否メッセージをマルチ・モードＵＥに送信するように構成される。当該ＲＲＣ接続セットアップ拒否メッセージは上記命令情報を含む。
【００４８】
別の任意の実施形態として、第１の受信ユニット３０１をさらに、コア・ネットワーク装置が送信した無線アクセス・ベアラ割当て要求を受信するように構成してもよい。当該無線アクセス・ベアラ割当て要求はマルチ・モードＵＥのサービス要求を含む。第２の送信ユニット３０３はさらに、無線アクセス・ベアラ割当て応答メッセージをコア・ネットワーク装置に送信するように構成される。当該無線アクセス・ベアラ割当て応答メッセージは上記命令情報を含む。
【００４９】
あるいは、本実施形態では、アクセス制御装置３００をさらに、ヘテロジニアス・システム隣接セルのアクセス制御装置が返したエネルギ節約状態脱出応答メッセージを受信するように構成してもよい。当該エネルギ節約状態脱出応答メッセージは、当該ヘテロジニアス・システム隣接セルがエネルギ節約状態を脱するための時間を保持する。
【００５０】
あるいは、本実施形態では、ＲＲＣ接続セットアップ拒否メッセージまたは無線アクセス・ベアラ割当て応答メッセージは、マルチ・モードＵＥがエネルギ節約状態を脱したヘテロジニアス・システム隣接セルにリダイレクトするための待機時間を含む。当該待機時間は、当該待機時間が過ぎたときに、エネルギ節約状態を脱したヘテロジニアス・システム隣接セルにリダイレクトするようにマルチ・モードＵＥに指示するために使用される。当該待機時間は、ヘテロジニアス・システム隣接セルがエネルギ節約状態を脱する時間以上であってもよい。
【００５１】
あるいは、本実施形態では、エネルギ節約状態脱出要求メッセージは、エネルギ節約状態にあるヘテロジニアス・システム隣接セルのアクセス制御装置の識別子、エネルギ節約状態にあるヘテロジニアス・システム隣接セルの識別子、および実施すべき動作の種類を保持する。
【００５２】
より具体的な実施形態では、ヘテロジニアス・システム隣接セルはサービング・セルに隣接するＥ−ＵＴＲＡＮセルを含み、第１の送信ユニット３０２は、サービング・セルのヘテロジニアス・システム隣接セルがエネルギ節約状態にあるかどうかを、サービング・セルの隣接セルのリストを検索してエネルギ節約状態にあるＥ−ＵＴＲＡＮセルを求めることによって判定する。
【００５３】
図３に示すアクセス制御装置の実施形態を使用して、図１に示す方法の実施形態を実装してもよい。この場合、アクセス制御装置によって実施される特定の動作については図１に示す実施形態を参照してもよい。これらの動作は、ここでは繰り返し説明することはしない。
【００５４】
本発明の実施形態ではアクセス制御装置を提供する。さらに、任意の実施形態の解決策では、サービング・セルがＧＳＭ（登録商標）セルまたはＵＴＲＡＮセルであり、ヘテロジニアス・システム隣接セルがＥ−ＵＴＲＡＮセルであるとき、Ｅ−ＵＴＲＡＮセルが軽負荷状態であることが検出されたとき、残りのアクティブ（Ａｃｔｉｖｅ）なＵＥが従来型のセル（ＵＴＲＡＮセル）に移行される、サービス劣化を受ける先行技術が提供する方法と比較して、本発明の実施形態に従うアクセス制御装置は、高速データ・サービスをホット・スポット・エリアに提供する必要がないときにはＥ−ＵＴＲＡＮセルにエネルギ節約状態に入るよう要求し、マルチ・モードＵＥが新たな高速データ・サービス要求を有するときにはＥ−ＵＴＲＡＮセルに直ぐにエネルギ節約状態を脱するように要求してもよい。それにより、高速データ・サービスが正常に提供され、従来型のセル（例えば、ＵＴＲＡＮセル）が低速または中速のデータ・サービスをマルチ・モードＵＥに対して長期間提供することに起因するユーザの不満のリスクが回避され、マルチ・モードＵＥのサービス・エクスペリエンスが保証される。
【００５５】
図４は、本発明の１実施形態に従う発展型基地局４００の略論理構造図である。説明の簡単さのため、本発明の実施形態に関連する一部分のみ示してある。図４に示した発展型基地局（ｅ−ＮｏｄｅＢ、ｅｖｏｌｖｅｄ  ＮｏｄｅＢ）は、ヘテロジニアス・システム内のＥ−ＵＴＲＡＮセルの制御基地局であってもよい。Ｅ−ＵＴＲＡＮセルは、ヘテロジニアス・システムにおいて第４世代移動通信技術４Ｇによりカバーされるセルである。図４に示す発展型基地局４００は、セル内に無線リソース制御ＲＲＣ接続またはアクティブなマルチ・モードのユーザ機器ＵＥがあるかどうかに従って、または、セルのゼロ負荷期間に従って、当該発展型基地局により制御されるセルをエネルギ節約状態に入るように設定すべきかどうかを判定するように構成される。
【００５６】
図４に示すように、発展型基地局４００は第１の判定ユニット４０１または第２の判定ユニット４０２を備える。当該第１の判定ユニットは、セル内に無線リソース制御ＲＲＣ接続またはアクティブなマルチ・モードのユーザ機器ＵＥがあるかどうかに従って、当該発展型基地局により制御されるセルをエネルギ節約状態に入るように設定すべきかどうかを判定し、第２の判定ユニットは、当該セルのゼロ負荷期間に従ってエネルギ節約状態に入るように当該セルを設定すべきかどうかを判定する。
【００５７】
具体的には、第１の判定ユニット４０１はさらに、セル内にＲＲＣ接続もアクティブなマルチ・モードＵＥも存在しないと判定したとき、エネルギ節約状態に入るように当該セルを設定するように構成される。
【００５８】
あるいは、発展型基地局４００さらに、セルがエネルギ節約状態に入るための、ネットワーク管理システムにより設定されるレイテンシを取得するように構成されたレイテンシ取得ユニット４０３を備え、第１の判定ユニット４０１はさらに、当該レイテンシ中にセル内にＲＲＣ接続もアクティブなマルチ・モードＵＥも存在しないと判定したとき、当該エネルギ節約状態に入るように当該セルを設定するように構成される。
【００５９】
あるいは、発展型基地局４００はさらに、セルのゼロ負荷期間をネットワーク管理システムから取得するように構成されたゼロ負荷期間取得ユニット４０４を備え、第２の判定ユニット４０２はさらに、当該発展型基地局が制御判定を行うための時間が当該セルのゼロ負荷期間内であるときに、エネルギ節約状態に入るように当該セルを設定するようにさらに構成される。
【００６０】
図４に示した発展型基地局の実施形態を使用して、図２に示した方法の実施形態を実装してもよい。この場合、当該発展型基地局によって実施される特定の動作については図２に示す実施形態を参照してもよい。これらの動作は、ここでは繰り返し説明することはしない。
【００６１】
本発明の実施形態では、発展型基地局を提供する。さらに、本実施形態によれば、ヘテロジニアス・システムにおいて、発展型基地局は、Ｅ−ＵＴＲＡＮセル内にＲＲＣ接続もアクティブなマルチ・モードＵＥもないときには、Ｅ−ＵＴＲＡＮをエネルギ節約状態に入るように設定してもよい。または、発展型基地局が制御判定を行うための時間がＥ−ＵＴＲＡＮセルのゼロ負荷期間内であるときは、当該Ｅ−ＵＴＲＡＮセルをエネルギ節約状態に入るように設定してもよい。Ｅ−ＵＴＲＡＮセルが軽負荷状態であることが検出されたとき、残りのアクティブ（Ａｃｔｉｖｅ）なマルチ・モードＵＥが従来型のセル（ＵＴＲＡＮセル）に移行される、サービス劣化を受ける先行技術が提供する方法と比較して、本発明の実施形態に従う発展型基地局は、高速データ・サービスをホット・スポット・エリアに提供する必要がないときにはＥ−ＵＴＲＡＮをエネルギ節約状態に入るように設定し、マルチ・モードＵＥが新たな高速データ・サービス要求を有するときにはＥ−ＵＴＲＡＮセルが直ぐにエネルギ節約状態を脱するようにしてもよい。それにより、高速データ・サービスが正常に提供され、従来型のセル（例えば、ＵＴＲＡＮセル）が低速または中速のデータ・サービスをマルチ・モードＵＥに対して長期間提供することに起因するユーザの不満のリスクが回避され、マルチ・モードＵＥのサービス・エクスペリエンスが保証される。
【００６２】
近年現れたＥ−ＵＴＲＡＮセルと比べて、既存のＧＳＭ（登録商標）セルまたはＵＴＲＡＮセルを従来型のセルと称してもよい。同様に、通信技術の発展につれ、Ｅ−ＵＴＲＡＮ後のより高度な無線アクセス技術と比べて、Ｅ−ＵＴＲＡＮセルを従来型のセルと称してもよい。
【００６３】
諸実施形態に従う以上の方法のステップの全部または一部を、関連するハードウェアに指示するプログラムによって実施してもよいことは当業者には理解される。当該プログラムを、コンピュータ読取可能記憶媒体に格納してもよい。当該プログラムを、読取専用メモリ（ＲＯＭ、Ｒｅａｄ  Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスクまたはＣＤ−ＲＯＭ等に格納してもよい。あるいは、図３に示したアクセス制御装置のユニットをアクセス制御装置のプロセッサに組み込んでもよく、図４に示した発展型基地局のユニットを当該発展型基地局のプロセッサに組み込んでもよい。
【００６４】
本発明の諸実施形態で提供した、ヘテロジニアス・システム内のセルに対するエネルギ節約制御方法、アクセス制御装置、および発展型基地局を詳細に説明した。本発明の原理と諸実施形態は、本明細書では特定の例を用いて説明した。上述の諸実施形態は、本発明の方法の理解を支援するために説明したものである。当業者は、本発明の思想から逸脱しない種々の変形を特定の実施形態および適用範囲に対して加えることができる。したがって、本明細書は本発明を限定するものとは考えられない。
【符号の説明】
【００６５】
３００  アクセス制御装置
３０１  第１の受信ユニット
３０２  第１の送信ユニット
３０３  第２の送信ユニット
３０４  第２の受信ユニット
４００  発展型基地局
４０１  第１の判定ユニット
４０２  第２の判定ユニット
４０３  レイテンシ取得ユニット
４０４  ゼロ負荷期間取得ユニット
【図１】
0005704478.tif 000002
【図２】
0005704478.tif 000003
【図３】
0005704478.tif 000004
【図４】
0005704478.tif 000005